(57)【要約】【課題】様々なランプ長さのランプを隙間の発生なく取り付け、製造コストが低減できるとともに意匠性に優れた照明器具を提供する。【解決手段】先端部に突起部を備える接地端子２１ｂを接地側端面に備える直管形ランプ２を取り付ける器具本体５において、接地端子２１ｂが挿入される挿入孔が形成されるとともに、前記接地端子２１ｂの前記突起部を前記挿入孔に挿入したとき、前記接地端子２１ｂが前記挿入孔内で係止する接地側取付板６ｂと、前記接地端子２１ｂが前記接地側取付板６ｂに係止された状態で、直管形ランプ２の接地側端面と前記接地側取付板６ｂとの間に挟まれる弾性力を有するスペーサー７とを備える。【選択図】図５
2014146564.tif 000002
【特許請求の範囲】
【請求項１】
両側に端面を有し、いずれかの前記端面に設けられた先端部に突起部を備える固定ピンを備える直管形ランプが取り付けられる器具本体において、
前記固定ピンが挿入される挿入孔が形成されるとともに、前記固定ピンの前記突起部を前記挿入孔に挿入したとき、前記固定ピンが前記挿入孔内で係止する取付板と、
前記固定ピンが前記取付板に係止されたとき、前記固定ピンが設けられる側の前記端面と前記取付板との間に挟まれる弾性力を有するスペーサーと
を備えることを特徴とする器具本体。
【請求項２】
前記スペーサーは、
前記端面と前記取付板とによって弾性変形された状態で、前記端面と前記取付板との間に挟まれることを特徴とする請求項１に記載の器具本体。
【請求項３】
前記スペーサーは、
前記直管形ランプの前記端面と当接して弾性変形による復元力で前記端面を押し付けるランプ当接面と、前記取付板と当接して弾性変形による復元力で前記取付板を押し付ける本体当接面とを備えるとともに、前記固定ピンを前記ランプ当接面側から前記本体当接面側まで貫通させる空間部を備え、
前記固定ピンは、
前記空間部を介して前記スペーサーを貫通して前記取付板に係止される
ることを特徴とする請求項２に記載の器具本体。
【請求項４】
前記スペーサーは、
両端面を有する柱形状であって、両端面のうちの一方が前記ランプ当接面であるとともに、他方が前記本体当接面であることを特徴とする請求項３に記載の器具本体。
【請求項５】
前記スペーサーは、材質がシリコンゴムであることを特徴とする請求項１〜４のいずれかに記載の器具本体。
【請求項６】
前記スペーサーは、
長形の金属板の両端部が同一方向に折り曲げられた板バネであり、前記金属板の中央部が前記直管形ランプの前記端面と当接して弾性変形による復元力で前記端面を押し付けるとともに、前記金属板の前記両端部の各々の先端に、前記取付板と当接して弾性変形による復元力で前記取付板を押し付ける当接面を備えることを特徴とする請求項２に記載の器具本体。
【請求項７】
前記スペーサーは、
前記中央部に前記固定ピンを貫通させる空間部を備え、
前記固定ピンは、
前記空間部を介して前記スペーサーを貫通して前記取付板に係止される
ることを特徴とする請求項６に記載の器具本体。
【請求項８】
前記当接面は、
中央部分が前記取付板側に折り曲げられた折り曲げ部を備え、
前記取付板は、
前記折り曲げ部を挿入し、前記スペーサーの位置決めをする位置決め用スリットを備えることを特徴とする請求項６または７に記載の器具本体。
【請求項９】
請求項１〜８のいずれかに記載の器具本体と、
前記器具本体に取り付けられる直管形ランプと、
前記直管形ランプに電力を供給する電源装置とを備えることを特徴とする照明器具。
【発明の詳細な説明】
【技術分野】
【０００１】
本発明は、器具本体及び照明器具に関するものであり、特に、直管形ＬＥＤランプを光源として取り付ける器具本体及び照明器具に関する。
【背景技術】
【０００２】
従来、ＧＸ１６ｔ−５口金直管形ＬＥＤランプを光源とする照明器具において、ランプの給電端子は、照明器具に搭載される電源から給電するため、給電用ソケットを用いて固定する。一方、ランプの接地端子は、専用ソケットを用意する必要が無い場合であっても、ランプの接地端子を取り付けるための専用ソケットを用いて固定している器具がある。
【０００３】
なお、ＧＸ１６ｔ−５とは、一般社団法人日本電球工業会規格、Ｌ形ピン口金ＧＸ１６ｔ−５付直管形ＬＥＤランプシステム、ＪＥＬ８０１：２０１０の規格に則り記載したものである。このランプについては、同規格において口金間距離の最大値、最小値が規定されている。
【０００４】
上記のような必要のない専用ソケットを用いることによる製造コストの増加を低減するために、ＧＸ１６ｔ−５口金直管形ＬＥＤランプの接地端子を専用ソケット無しで固定する方法がある（特許文献１参照）。
【先行技術文献】
【特許文献】
【０００５】
【特許文献１】特開２０１２−１２９１１３号公報
【発明の概要】
【発明が解決しようとする課題】
【０００６】
しかし、特許文献１に記載の取付方法では、ＧＸ１６ｔ−５口金直管形ＬＥＤランプに最大長さ及び最小長さが規定されている場合に、例えば、天井埋込み形器具において最小長さのランプが装着された場合、ランプと器具端板との間に隙間が生じる。このような隙間が発生すると、その隙間の部分が影となって目立ち、見た目が悪くなる、あるいは、違和感を生じる等の恐れがあるという課題があった。
ここで、ランプの最大長さ、最小長さとは、上記規格にある口金間距離の最大値、最小値を表現したもので、例えば、ＪＥＬ８０１対応のランプで、口金間が最大のランプ、口金間が最小のランプがあげられる。
【０００７】
本発明は、弾性のあるスペーサーを設けることにより、様々なランプ長さのランプを隙間の発生なく取り付けることを目的とする。
【課題を解決するための手段】
【０００８】
本発明に係る器具本体は、両側に端面を有し、いずれかの前記端面に設けられた先端部に突起部を備える固定ピンを備える直管形ランプが取り付けられる器具本体において、前記固定ピンが挿入される挿入孔が形成されるとともに、前記固定ピンの前記突起部を前記挿入孔に挿入したとき、前記固定ピンが前記挿入孔内で係止する取付板と、前記固定ピンが前記取付板に係止されたとき、前記固定ピンが設けられる側の前記端面と前記取付板との間に挟まれる弾性力を有するスペーサーとを備えることを特徴とする。
【発明の効果】
【０００９】
本発明に係る器具本体によれば、直管形ランプの固定ピンが設けられる側の端面と器具本体の取付板との間に挟まれる弾性力を有するスペーサーを備えるので、様々なランプ長さの直管形ランプを隙間の発生なく取り付けることができ、製造コストが低減できるとともに意匠性に優れた照明器具を提供することができるという効果を奏する。
【図面の簡単な説明】
【００１０】
【図１】直管形ランプの接地側口金２ｂを専用ソケット（接地用ソケット４）により取り付ける照明器具１００を示す図であり、（ａ）は照明器具１００の照射方向側から見た平面図、（ｂ）は給電用ソケット３の取り付け部分を示す図、（ｃ）は接地用ソケット４の取り付け部分を示す図である。
【図２】実施の形態１に係る直管形ランプ２（ＧＸ１６ｔ−５口金直管形ＬＥＤランプ）を示す図であり、（ａ）は給電側口金２ａ部分、（ｂ）は接地側口金２ｂ部分を示す図である。
【図３】実施の形態１に係る照明器具２００であり、スペーサー７を配置していない状態を示す図である。
【図４】実施の形態１に係る照明器具２００に直管形ランプ２の接地端子２１ｂを保持する方式を示す図である。
【図５】実施の形態１に係る照明器具２００においてスペーサー７を設けた状態を示す図であり、（ａ）は接地側取付板６ｂにスペーサー７を配置した図、（ｂ）はスペーサー７を介して直管形ランプ２を取り付けた状態を示す斜視図である。
【図６】実施の形態１に係るスペーサー７の示す図であり、（ａ）はスペーサー７の斜視図、（ｂ）はスペーサー７の正面図、（ｃ）はスペーサー７の側面図、（ｄ）はスペーサー７を介して直管形ランプ２を取り付けた状態を示す照明器具２００の部分平面図である。
【図７】実施の形態２に係る照明器具２００においてスペーサー８を設けた状態を示す図であり、（ａ）は接地側取付板６ｂにスペーサー８を配置した図、（ｂ）はスペーサー８を介して直管形ランプ２を取り付けた状態を示す斜視図である。
【図８】実施の形態２に係るスペーサー８を示す図であり、（ａ）はスペーサー８を介して直管形ランプ２を取り付けた状態を示す照明器具２００の部分平面図、（ｂ）はスペーサー８の斜視図である。
【図９】実施の形態３に係るスペーサー８０を示す図であり、（ａ）はスペーサー８０の斜視図、（ｂ）はスペーサー８０の正面図、（ｃ）はスペーサー８０の側面図である。
【図１０】実施の形態３に係るスペーサー８０を示す図であり、（ａ）は接地側取付板６ｂの位置決め用スリット６ｃを示す図、（ｂ）は接地側取付板６ｂにスペーサー８０を配置した状態を示す図である。
【発明を実施するための形態】
【００１１】
以下の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１２】
実施の形態１．
図１は、直管形ランプの接地側口金２ｂを専用ソケット（接地用ソケット４）により取り付ける照明器具１００を示す図であり、（ａ）は照明器具１００の照射方向側から見た平面図、（ｂ）は給電用ソケット３の取り付け部分を示す図、（ｃ）は接地用ソケット４の取り付け部分を示す図である。図２は、本実施の形態に係る直管形ランプ２（ＧＸ１６ｔ−５口金直管形ＬＥＤランプ）を示す図であり、（ａ）は給電側口金２ａ部分、（ｂ）は接地側口金２ｂ部分を示す図である。
【００１３】
図１〜図２を用いて、本実施の形態の背景となる技術について簡単に説明する。
図１（ａ）に示す照明器具１００は、器具本体１と、器具本体１に２本並べて取り付けられる直管形ランプ２とを備える。
本実施の形態に係る直管形ランプ２は、例えば、ＧＸ１６ｔ−５口金直管形ＬＥＤランプである。
【００１４】
図２（ａ）（ｂ）に示すように、直管形ランプ２は、一方の端部に給電側口金２ａを備え、他方の端部に接地側口金２ｂを備える。
給電側口金２ａは、端面（以下、給電側端面２３ａとする）に２極の給電端子２１ａを備える。給電端子２１ａは、照明器具１００の備える電源装置（図示は無し）に接続され、電源装置から給電する。
また、接地側口金２ｂは、端面（以下、接地側端面２３ｂとする）に１極の接地端子２１ｂ（固定ピン）を備える。接地端子２１ｂは、端面の法線方向に伸びており、先端部に突起部２２ｂを備える。
突起部２２ｂは、略楕円形（長円形）の板形状であり、接地側端面２３ｂに対して略楕円形の板の面が平行に位置するように接地端子２１ｂの先端部に設けられる。
【００１５】
ここで、直管形ランプ２の給電側ではない他方の端部に設けられるピンは、アース機能を有する接地端子２１ｂでなくてもよい。単に、直管形ランプ２の他方の端部を固定するためのアース機能を持たない固定ピンでも構わない。
【００１６】
図１（ａ）に示す照明器具１００は、直管形ランプ２の接地側口金２ｂを専用ソケット（接地用ソケット４）により取り付ける接地用ソケット取付形照明器具である。
図１（ｂ）に示すように、照明器具１００では、給電側口金２ａの備える給電端子２１ａは、給電用ソケット３を用いて器具本体１の給電用ソケット取付面１３に取り付けられる。
また、図１（ｃ）に示すように、接地側口金２ｂの備える接地端子２１ｂは、接地用ソケット４を用いて器具本体１の接地用ソケット取付面１４に取り付けられる。
しかし、照明器具１００において、例えば、直管形ランプ２の接地のための部品が別途に設けられていた場合には、接地用ソケット４を用いる必要が無い。
【００１７】
図３は、本実施の形態に係る照明器具２００であり、スペーサー７を配置していない状態を示す図である。図４は、本実施の形態に係る照明器具２００に直管形ランプ２の接地端子２１ｂを保持する方式を示す図である。
【００１８】
図３（ａ）に示す照明器具２００は、専用ソケット（接地用ソケット４）を用いずに、接地端子２１ｂを取り付けることができるものである。
図３（ａ）に示すように、照明器具２００は、器具本体５と、器具本体５に２本並べて取り付けられる直管形ランプ２とを備える。照明器具２００の接地側の端部を接地側端部６とする。
【００１９】
図３（ｂ）に示すように、器具本体５の接地側端部６は、直管形ランプ２の接地端子２１ｂを取り付ける接地側取付板６ｂ（取付板、接地端子保持用穴付き端板等ともいう）を備える。接地側取付板６ｂには、接地端子２１ｂを挿入するための接地端子保持用穴６ａ（挿入孔）が形成される。
【００２０】
直管形ランプ２（ＧＸ１６ｔ−５付直管形ＬＥＤランプ）を装着する場合、接地端子保持用穴６ａの穴形状は長穴（楕円形、長円形）とし、ランプ装着後の直管形ランプ２が水平を保つ位置に形成する。
このとき、搭載する直管形ランプ２の最小長ランプが保持可能な位置に、接地側取付板６ｂを設ける。
接地端子保持用穴６ａは、Ｐ１−Ｐ２方向に略楕円形の長手方向が沿うように形成される。また、接地端子保持用穴６ａの楕円形状の大きさは、接地端子２１ｂの突起部２２ｂの略楕円形の大きさよりもやや大きく形成される。
ここで、照明器具２００は、例えば、天井埋め込み型照明器具であり、Ｐ１方向は天井側方向であり、Ｐ２方向は光の照射方向である（図４（ａ）参照）。
【００２１】
直管形ランプ２は、接地端子保持用穴６ａが接地端子２１ｂに挿入され、接地端子２１ｂの突起部２２ｂを接地端子保持用穴６ａの周縁部に引っ掛かることにより接地側取付板６ｂに係止される。
直管形ランプ２の接地端子２１ｂを器具本体５に取り付ける場合、作業者は、まず突起部２２ｂの略楕円形の長手方向をＰ１−Ｐ２方向に合わせて、接地端子保持用穴６ａに挿入する。次に、給電端子２１ａを給電用ソケット３へ挿入する。次に、直管形ランプ２を９０度回転させることで、図４（ａ）（ｂ）に示すように、突起部２２ｂの略楕円形の長手方向がＰ１−Ｐ２方向と略直交し、突起部２２ｂが接地端子保持用穴６ａから外れないように係止される。
【００２２】
このとき、給電側口金２ａの給電側端面２３ａから接地側口金２ｂの接地側端面２３ｂまでの長さが、給電側端面２３ａから接地側取付板６ｂまでの長さより短い場合がある。その場合、給電側端面２３ａから接地側端面２３ｂまでの長さと、給電側端面２３ａから接地側取付板６ｂまでの長さとの差分が、図３（ｃ）に示す隙間Ｘとなる。この隙間Ｘがあると、照明器具２００において、隙間Ｘの部分が影となってしまい、見た目が悪くなったり、違和感を生じる場合がある。
【００２３】
図５は、本実施の形態に係る照明器具２００においてスペーサー７を設けた状態を示す図であり、（ａ）は接地側取付板６ｂにスペーサー７を配置した図、（ｂ）はスペーサー７を介して直管形ランプ２を取り付けた状態を示す斜視図である。図６は、本実施の形態に係るスペーサー７の示す図であり、（ａ）はスペーサー７の斜視図、（ｂ）はスペーサー７の正面図、（ｃ）はスペーサー７の側面図、（ｄ）はスペーサー７を介して直管形ランプ２を取り付けた状態を示す照明器具２００の部分平面図である。
【００２４】
図５（ａ）（ｂ）に示すように、器具本体５の接地側取付板６ｂには、接地端子２１ｂが接地側取付板６ｂに係止された状態で、直管形ランプ２の接地側端面２３ｂと接地側取付板６ｂとの間に挟まれる弾性力を有するスペーサー７が設けられる。
スペーサー７は、接地側端面２３ｂと接地側取付板６ｂとによって弾性変形された状態で、接地側端面２３ｂと接地側取付板６ｂとの間に挟まれる。
スペーサー７は、接地側端面２３ｂと接地側取付板６ｂとの間に生じる隙間Ｘを埋める。
【００２５】
図６（ａ）〜（ｄ）に示すように、スペーサー７は、直管形ランプ２の接地側端面２３ｂと当接して弾性変形による復元力で接地側端面２３ｂを給電側に押し付けるランプ当接面７ａと、接地側取付板６ｂと当接して弾性変形による復元力で接地側取付板６ｂを押し付ける本体当接面７ｄとを備える。また、ランプ当接面７ａと本体当接面７ｄとの間に形成されたスペーサー側面７ｃを備える。
さらに、スペーサー７は、接地端子２１ｂをランプ当接面７ａ側から本体当接面７ｄ側まで貫通させる貫通孔７ｂ（空間部）を備える。
接地端子２１ｂは、貫通孔７ｂを介してスペーサー７を貫通し、接地側取付板６ｂに係止される。つまり、直管形ランプ２の接地端子２１ｂは、突起部２２ｂが貫通孔７ｂと接地端子保持用穴６ａとを貫通し、その後、直管形ランプ２が９０度回転されることにより、接地側取付板６ｂに取り付けられる。
【００２６】
スペーサー７は、両端面を有する柱形状であって、両端面のうちの一方が上記ランプ当接面７ａであるとともに、他方が上記本体当接面７ｄである。より好ましくは、ランプ当接面７ａが接地側端面２３ｂと略同一円形状の円柱形状であることが好ましい。
スペーサー７は、材質が、例えば、シリコンゴムである。スペーサー７は、弾性力を有する材質であればシリコンゴム以外でも良く、例えば、ポリウレタン弾性体などでも良い。
【００２７】
スペーサー７は、弾性力を有しているので、スペーサー７の潰れ具合によって、直管形ランプ２の長さの違いを吸収することができる。これにより、照明器具に長さの異なる直管形ランプ２を装着することが可能となる。
スペーサー７は、直管形ランプ２の装着後も接地側端面２３ｂ（ランプ接地端子）に干渉することで、隙間Ｘを埋め、かつ給電端子２１ａ側へ押す力が発生する。
【００２８】
スペーサー７は、両面テープなどで接地側取付板６ｂに固定される。スペーサー７の色は、より違和感を少なくするために、接地側取付板６ｂと同色が望ましい。あるいは、直管形ランプ２の給電側の端部の色と合わせるため、給電用ソケット３の色と同一でも良い。より好ましくは、器具本体５の給電側取付板６１（図３（ａ）参照）と、給電用ソケット３と、接地側取付板６ｂと、スペーサー７とは同一（同様）の色であることが好ましい。
【００２９】
図６（ｂ）に示すように、スペーサー側面７ｃは、ランプ当接面７ａから本体当接面７ｄにかけて若干広がるように形成される。スペーサー７のランプ当接面７ａは、直管形ランプ２の接地側端面２３ｂの大きさと略等しいことが好ましい。また、スペーサー７の本体当接面７ｄは、接地側端面２３ｂの大きさよりもやや大きい。スペーサー７は、このように設計されていることにより、本体当接面７ｄと接地側取付板６ｂとの接着がより安定する。また、ランプ当接面７ａが接地側端面２３ｂに押されることで弾性変形した場合に、スペーサー側面７ｃが多少盛り上がるが、スペーサー側面７ｃが本体当接面７ｄにかけて若干広がるように形成されているので、その盛り上がりを吸収し目立たなくする効果がある。
【００３０】
ただし、スペーサー７の形状は、上述した形状に限られず、四角形状、多角形状等でもよい。また、貫通孔７ｂは、接地端子２１ｂをランプ当接面７ａ側から本体当接面７ｄ側まで貫通させる空間であれば貫通した孔でなくても、例えば、切り欠きでも良い。スペーサー７の形状は、例えば、Ｕ字形状、コ字形状、馬蹄形状などでも良い。
【００３１】
貫通孔７ｂは、接地端子保持用穴６ａと同程度、あるいはやや大きい長穴である。図６（ｂ）に示すように、ランプ当接面７ａ側の長穴は、本体当接面７ｄ側の長穴よりもやや大きく形成される。本体当接面７ｄ側の長穴は、接地端子保持用穴６ａと同程度あるいはやや大きい長穴であり、ランプ当接面７ａ側の長穴は、本体当接面７ｄ側の長穴よりもやや大きい長穴である。
このように形成することにより、作業者が突起部２２ｂをランプ当接面７ａ側の貫通孔７ｂに挿入しやすくなる。貫通孔７ｂは、長穴以外にも、接地端子保持用穴６ａより大きい丸穴、角穴などでもよい。
【００３２】
また、貫通孔７ｂは、作業者が突起部２２ｂを貫通孔７ｂに挿入した後、直管形ランプ２が９０度回転されて固定された時に、接地端子２１ｂがスペーサー７の略中央に位置するように配置される。この場合の、接地端子２１ｂの位置を図６（ｂ）に点線で示す。
【００３３】
図３に示したように、スペーサー７を配置していない場合には、器具本体５に直管形ランプ２の最小ランプが装着されると、給電側の端部あるいは接地側の端部のどちらか、もしくは給電側と接地側との両方の端部に隙間が生じる。
上述したように、接地側取付板６ｂに弾性を有するスペーサー７を設置することにより、スペーサー７と接地側端面２３ｂとが干渉し、スペーサー７が接地側端面２３ｂを給電側へ押すので、両方の端部に隙間がなくなる。隙間を連続的になくするために、常に押圧力をかけることが好ましく、上述したように、たとえばスペーサー７にシリコンゴム等を用いれば達成できる。
【００３４】
以上のように、本実施の形態に係る照明器具２００によれば、接地端子保持用穴６ａ（接地端子固定穴）に、弾性のあるスペーサー７を設けることにより、様々なランプ長さの直管形ランプ２に対して、隙間の発生なく取付ができる。また、弾性力により給電端子２１ａがより確実に給電用ソケット３に押し当てられ、安定した給電が可能になるという効果を奏する。
【００３５】
実施の形態２．
本実施の形態では、主に、実施の形態１との差異について説明する。
本実施の形態では、実施の形態１で説明したスペーサー７に替えて、バネ性のある薄板板金にて構成したスペーサー８を用いる場合について説明する。
本実施の形態では、実施の形態１で説明した機能構成と同様の機能構成については、同一の符号を付し、その説明を省略する場合もある。
【００３６】
図７は、本実施の形態に係る照明器具２００においてスペーサー８を設けた状態を示す図であり、（ａ）は接地側取付板６ｂにスペーサー８を配置した図、（ｂ）はスペーサー８を介して直管形ランプ２を取り付けた状態を示す斜視図である。図８は、本実施の形態に係るスペーサー８の示す図であり、（ａ）はスペーサー８を介して直管形ランプ２を取り付けた状態を示す照明器具２００の部分平面図、（ｂ）はスペーサー８の斜視図である。
【００３７】
スペーサー８は、長形の金属板の両端部が同一方向に折り曲げられた板バネであり、金属板の中央部のランプ当接面８ａと、両端部が同一方向に折り曲げられた平板部分のうち光の照射方向側（Ｐ２側）の平板部分である本体当接面８ｄと、Ｐ１側にの平板部分である本体当接面８ｅと、ランプ当接面８ａと本体当接面８ｄとの間に段階的に折り曲げられた中間部８ｃとを備える。
【００３８】
また、スペーサー８は、ランプ当接面８ａに貫通孔８ｂを備える。貫通孔８ｂは、接地側取付板６ｂに形成された接地端子保持用穴６ａと連通する。貫通孔８ｂは、接地端子２１ｂを貫通させる空間部であり、接地端子２１ｂは、貫通孔８ｂを介してスペーサー８を貫通し、接地側取付板６ｂに係止される。貫通孔８ｂの機能は、実施の形態１において説明した貫通孔７ｂの機能と同様である。貫通孔８ｂは、長穴以外にも、接地端子保持用穴６ａより大きい丸穴、角穴などでもよい。
【００３９】
スペーサー８は、ランプ当接面８ａが直管形ランプの接地側端面２３ｂと当接して弾性変形による復元力で接地側端面２３ｂを給電側に押し付ける。スペーサー８は、金属板の両端部の各々の先端に、接地側取付板６ｂと当接して弾性変形による復元力で接地側取付板６ｂを押し付ける本体当接面８ｄ，８ｅ（当接面）を備える。
【００４０】
図７及び図８に示すように、本実施の形態に係るスペーサー８を用いても、実施の形態１と同様の効果が得られる。スペーサー８の材質は、例えばステンレス製のバネ材がよい。スペーサー８の色は、実施の形態１と同様に接地側取付板６ｂと同色がのぞましい。
図８（ａ）に示すように、光の照射方向側から見ると、隙間Ｘはスペーサー８の中間部８ｃにより埋められる。したがって、少なくともスペーサー８の中間部８ｃは接地側取付板６ｂと同色がのぞましい。
【００４１】
スペーサー８は、器具本体５の接地側取付板６ｂに、例えば、ネジ固定、リベット固定等により固定可能である。しかし、近年、薄形の器具が主流になりつつあり、上記方法により固定する面積が得られにくいので、固定する面積を確保することを考慮すると、スポット溶接が最も好ましく、しかも意匠性もよい。
【００４２】
実施の形態１では組立作業性、意匠性の点で好ましい態様を説明したが、本実施の形態によれば、器具本体５、接地側取付板６ｂ、スペーサー８などはすべて板金部品で構成できるので、器具を破棄するときのリサイクル性が向上できる。
【００４３】
実施の形態３．
本実施の形態では、主に、実施の形態１，２との差異について説明する。
本実施の形態では、実施の形態１，２で説明した機能構成と同様の機能構成については、同一の符号を付し、その説明を省略する場合もある。
【００４４】
図９は、本実施の形態に係るスペーサー８０の示す図であり、（ａ）はスペーサー８０の斜視図、（ｂ）はスペーサー８０の正面図、（ｃ）はスペーサー８０の側面図である。図１０は、本実施の形態に係るスペーサー８０を接地側取付板６ｂに配置した状態を示す図である。
本実施の形態に係るスペーサー８０は、実施の形態２で説明したスペーサー８（バネ性のある薄板板金のスペーサー）の構成に加え、取付時の位置決めのための折り曲げ部８２を備えている。
【００４５】
図９（ａ）〜（ｃ）に示すように、本実施の形態に係るスペーサー８０は、Ｐ２側の本体当接面８ｄに、中央部分が接地側取付板６ｂ側に折り曲げられた折り曲げ部８２を備える。なお、図９（ａ）（ｂ）に示す中間部８ｃは、図８（ｂ）で示した中間部８ｃよりも段差の数が少ないが、中間部８ｃの段差は図８（ｂ）に示すものでもよいし、図９（ａ）（ｂ）に示すものでもどちらでもよい。
【００４６】
接地側取付板６ｂは、スペーサー８０の折り曲げ部８２を挿入し、スペーサー８０の位置決めをする位置決め用スリット６ｃを備える。
図１０に示すように、折り曲げ部８２は、接地側取付板６ｂに設けられた位置決め用スリット６ｃ（折り曲げ部保持用穴）に挿入される。これにより、スペーサー８０は接地側取付板６ｂ（器具端板の側板）に精度よく位置決めされた状態でスポット溶接できる。また、折り曲げ部８２を位置決め用スリット６ｃに挿入した状態で、直管形ランプ２をスペーサー８０に取り付けるので、スポット溶接が外れても、直管形ランプ２の落下を防止できる。
【００４７】
以上、本発明の実施の形態について説明したが、これらの実施の形態の２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００４８】
１  器具本体、２  直管形ランプ、２ａ  給電側口金、２ｂ  接地側口金、３  給電用ソケット、４  接地用ソケット、５  器具本体、６  接地側端部、６ａ  接地端子保持用穴、６ｂ  接地側取付板、６ｃ  位置決め用スリット、７  スペーサー、７ａ  ランプ当接面、７ｂ  貫通孔、７ｃ  スペーサー側面、７ｄ  本体当接面、８  スペーサー、８ａ  ランプ当接面、８ｂ  貫通孔、８ｃ  中間部、８ｄ，８ｅ  本体当接面、１３  給電用ソケット取付面、１４  接地用ソケット取付面、２１ａ  給電端子、２１ｂ  接地端子、２２ｂ  突起部、２３ａ  給電側端面、２３ｂ  接地側端面、６１  給電側取付板、８０  スペーサー、８２  折り曲げ部、１００，２００  照明器具。
【図１】
2014146564.tif 000003
【図２】
2014146564.tif 000004
【図３】
2014146564.tif 000005
【図４】
2014146564.tif 000006
【図５】
2014146564.tif 000007
【図６】
2014146564.tif 000008
【図７】
2014146564.tif 000009
【図８】
2014146564.tif 000010
【図９】
2014146564.tif 000011
【図１０】
2014146564.tif 000012